【手続補正書】
【提出日】平成19年3月6日(2007.3.6)
【手続補正１】
【補正対象書類名】明細書
【補正対象項目名】全文
【補正方法】変更
【補正の内容】
【書類名】      明細書
【発明の名称】  移動体無線通信システム，移動体無線通信方法及び移動局端末
【特許請求の範囲】
【請求項１】  移動局端末の位置情報を検出する機能を有する移動体通信システムにおいて、
上記位置情報に応じた地域情報を表示する表示手段を備える移動局端末と、
上記地域情報を蓄積し、上記移動局端末の位置情報に応じた地域情報を自動的に選択して上記移動局端末に伝送する情報サーバとを備えること
を特徴とする移動体無線通信システム。
【請求項２】  上記移動局端末は、上記位置情報に応じた地域情報を取得する動作を開始する操作を行う操作手段を有することを特徴とする請求項１記載の移動体無線通信システム。
【請求項３】  上記移動局端末は、上記地域情報を記憶する着脱可能な記憶手段を有することを特徴とする請求項１記載の移動体無線通信システム。
【請求項４】  上記地域情報には、上記地域情報を提供する情報提供者が移動局端末を使用するユーザに対して行うサービス内容情報が含まれることを特徴とする請求項１記載の移動体無線通信システム。
【請求項５】  上記地域情報を記憶する記憶手段と、上記記憶手段に記憶された上記地域情報を読み出す読出手段とを備えることを特徴とする請求項１記載の移動体無線通信システム。
【請求項６】  上記移動局端末の位置情報を検出する機能は、衛星からの電波の到着時間差によって位置情報を検出するグローバルポジショニングシステムであることを特徴とする請求項１記載の移動体無線通信システム。
【請求項７】  複数の基地局と移動局端末との間の信号伝播時間から該移動局端末の位置情報を検出する移動体無線通信システムにおいて、
上記移動局端末と無線により互いに通信を行い、上記移動局端末に対して信号を送信した時刻と上記信号に対する応答を上記移動局端末から受信した時刻との基地局送受信時間差を検出する複数の基地局と、
上記複数の基地局から送信される複数の信号を受信する受信手段と、上記複数の信号の各々を受信した時刻と上記複数の信号の各々に対する応答を上記基地局に対して送信した時刻との移動局受送信時間差を検出する時間差検出手段と、上記複数の基地局に対して上記移動局受送信時間差を送信する送信手段と、上記位置情報に応じた地域情報を表示する表示手段とを備える移動局端末と、
上記基地局送受信時間差と上記移動局受送信時間差とから上記移動局端末の位置を検出する位置検出装置と、
上記地域情報を蓄積し、上記移動局端末の位置情報に応じた地域情報を自動的に選択して上記移動局端末に伝送する情報サーバとを備えること
を特徴とする移動体無線通信システム。
【請求項８】  移動局端末の位置情報を検出する移動体無線通信方法において、
蓄積された地域情報の中から、上記移動局端末の位置情報に応じた地域情報を自動的に選択して上記移動局端末に伝送する伝送工程と、
上記位置情報に応じた地域情報を表示する表示工程とを備えること
を特徴とする移動体無線通信方法。
【請求項９】  複数の基地局と移動局端末との間の信号伝播時間から該移動局端末の位置情報を検出する移動体無線通信方法において、
上記移動局端末と無線により互いに通信を行う複数の基地局との間で、上記移動局端末に対して信号を送信した時刻と上記信号に対する応答を上記移動局端末から受信した時刻との基地局送受信時間差を検出する基地局送受信時間差検出工程と、
上記複数の基地局から送信される複数の信号を受信する受信工程と、
上記複数の信号の各々を受信した時刻と上記複数の信号の各々に対する応答を上記基地局に対して送信した時刻との移動局受送信時間差を検出する時間差検出工程と、
上記複数の基地局に対して上記移動局受送信時間差を送信する送信工程と、
上記基地局送受信時間差と上記移動局受送信時間差とから上記移動局端末の位置を検出する位置検出工程と、
蓄積された地域情報の中から、上記移動局端末の位置情報に応じた地域情報を自動的に選択して上記移動局端末に伝送する伝送工程と、
上記位置情報に応じた地域情報を表示する表示工程とを備えること
を特徴とする移動体無線通信方法。
【請求項１０】  複数の基地局との間で無線により互いに通信を行い、上記複数の基地局との通信における信号伝播時間から検出された位置情報を受信する移動局端末であって、
上記複数の基地局から送信される複数の信号を受信する受信手段と、
上記複数の信号の各々を受信した時刻と上記複数の信号の各々に対する応答を上記基地局に対して送信した時刻との移動局受送信時間差を検出する時間差検出手段と、
上記複数の基地局に対して上記移動局受送信時間差を送信する送信手段と、
上記位置情報に応じた地域情報を表示する表示手段と、
上記位置情報に応じて得られる地域情報を記憶する記憶手段とを備えることを特徴とする移動局端末。
【発明の詳細な説明】
【０００１】
【発明の属する技術分野】
本発明は、移動局端末の位置検出機能を備えた移動体無線通信システム及び方法、並びに移動体無線通信システムに用いられる移動局端末に関する。
【０００２】
【従来の技術】
セルラ方式による移動体無線通信システムにおいて、移動局が複数の基地局からの送信信号を受信する場合、移動局と各基地局との位置関係を計算することによって移動局の位置を特定することができる。
【０００３】
この場合、各基地局と移動局との間の信号伝播時間Ｔdを観測する。信号伝播時間Ｔdは、位置検出装置に送信される。位置検出装置では、信号伝播時間Ｔdと、予め既知である各基地局の位置情報とを用いた三辺測量を行うことによって移動局の位置を算出している。
【０００４】
また、このような移動体無線通信システムとして、いわゆる携帯電話システムが挙げられる。携帯電話システムでは、近年、音声データの送受信を行うのみならず、基地局と携帯型通信端末機（携帯電話）との間で、音声データ以外の情報データの送受信を行うことができるようになっている。近年では、携帯電話の普及とともに音声データ以外の情報データの提供を目的とした情報提供サーバが増加している。
【０００５】
ユーザは、携帯電話を用いて、基地局から所望とする情報に関するデータの提供を受けることができる。
【０００６】
【発明が解決しようとする課題】
ところが、情報提供サーバは、情報提供を希望する携帯型通信端末機（携帯電話）に対して、区別なく情報提供を行うものであって、例えば従来の移動体無線通信システムに対応した携帯型通信端末機を携帯して移動しているユーザが、特定地域の情報を取得したいと望む場合にも、この移動体通無線通信システムに対応した携帯型通信端末機を所有する広域のユーザを対象とした膨大な情報ソースの中から所望とする情報を検索する必要があった。
【０００７】
そのためユーザが所望とする特定地域の情報を取得するまでには、複数の情報提供サーバを検索したり、検索に時間を費やしたりしなければならないという問題点があった。このような検索作業は、ユーザにとって、煩雑且つ不都合な上に、迅速な情報提供を妨げるものであった。
【０００８】
そこで本発明は、このような従来の実情に鑑みて提案されたものであり、位置情報とともに、位置情報に関係した特定地域の情報を速やかに取得する移動局端末，並びに位置情報を算出し、この位置情報に関係した特定地域の情報を検索して速やかに移動局端末に送信する移動体無線通信システム及び方法を提供することを目的とする。
【０００９】
【課題を解決するための手段】
上述した目的を達成するために、本発明に係る移動体無線通信システムは、移動局端末の位置情報を検出する機能を有する移動体通信システムであって、位置情報に応じた地域情報を表示する表示手段を備える移動局端末と、地域情報を蓄積し、移動局端末の位置情報に応じた地域情報を自動的に選択して移動局端末に伝送する情報サーバとを備えることを特徴とするものである。
【００１０】
また、上述した目的を達成するために、本発明に係る移動体無線通信システムは、複数の基地局と移動局端末との間の信号伝播時間から移動局端末の位置情報を検出する移動体無線通信システムであって、移動局端末と無線により互いに通信を行い、移動局端末に対して信号を送信した時刻と信号に対する応答を移動局端末から受信した時刻との基地局送受信時間差を検出する複数の基地局と、複数の基地局から送信される複数の信号を受信する受信手段と、複数の信号の各々を受信した時刻と複数の信号の各々に対する応答を基地局に対して送信した時刻との移動局受送信時間差を検出する時間差検出手段と、複数の基地局に対して移動局受送信時間差を送信する送信手段と、位置情報に応じた地域情報を表示する表示手段とを備える移動局端末と、基地局送受信時間差と移動局受送信時間差とから移動局端末の位置を検出する位置検出装置と、地域情報を蓄積し、移動局端末の位置情報に応じた地域情報を自動的に選択して移動局端末に伝送する情報サーバとを備えることを特徴としている。
【００１１】
このような移動体無線通信システムは、移動局端末の位置情報を検出し、移動局端末の位置情報に応じた地域情報を自動的に選択して移動局端末に伝送する。
【００１２】
上述した目的を達成するために、本発明に係る移動体無線通信方法は、移動局端末の位置情報を検出する移動体無線通信方法であって、蓄積された地域情報の中から、移動局端末の位置情報に応じた地域情報を自動的に選択して移動局端末に伝送する伝送工程と、位置情報に応じた地域情報を表示する表示工程とを備えることを特徴とするものである。
【００１３】
また、上述した目的を達成するために、本発明に係る移動体無線通信方法は、複数の基地局と移動局端末との間の信号伝播時間から該移動局端末の位置情報を検出する移動体無線通信方法であって、移動局端末と無線により互いに通信を行う複数の基地局との間で、移動局端末に対して信号を送信した時刻と信号に対する応答を移動局端末から受信した時刻との基地局送受信時間差を検出する基地局送受信時間差検出工程と、複数の基地局から送信される複数の信号を受信する受信工程と、複数の信号の各々を受信した時刻と複数の信号の各々に対する応答を基地局に対して送信した時刻との移動局受送信時間差を検出する時間差検出工程と、複数の基地局に対して移動局受送信時間差を送信する送信工程と、基地局送受信時間差と移動局受送信時間差とから移動局の位置を検出する位置検出工程と、蓄積された地域情報の中から、移動局の位置情報に応じた地域情報を自動的に選択して移動局に伝送する伝送工程と、位置情報に応じた地域情報を表示する表示工程とを備えることを特徴としている。
【００１４】
このような移動体無線通信方法は、移動局端末の位置情報を検出し、移動局端末の位置情報に応じた地域情報を自動的に選択して移動局端末に伝送する。
【００１５】
更に、上述した目的を達成するために、本発明に係る移動局端末は、複数の基地局との間で無線により互いに通信を行い、複数の基地局との通信における信号伝播時間から検出された位置情報を受信する移動局端末であって、複数の基地局から送信される複数の信号を受信する受信手段と、複数の信号の各々を受信した時刻と複数の信号の各々に対する応答を基地局に対して送信した時刻との移動局受送信時間差を検出する時間差検出手段と、複数の基地局に対して移動局受送信時間差を送信する送信手段と、位置情報に応じた地域情報を表示する表示手段と、位置情報に応じて得られる地域情報を記憶する記憶手段とを備えることを特徴としている。
【００１６】
ここで移動局端末は、上記位置情報に応じた地域情報を取得する動作を開始する操作を行う操作手段を有することが挙げられる。
【００１７】
このような移動局端末は、操作手段によって位置情報に応じた地域情報を取得する動作を開始し、表示手段において位置情報に応じた地域情報を表示し、この地域情報を記憶手段に記憶する。
【００１８】
【発明の実施の形態】
以下、本発明の実施の形態について、図面を参照して詳細に説明する。
【００１９】
本発明の実施の形態の一構成例として示す移動体無線通信システムは、互いに通信が可能な複数の基地局と移動局との間で送受信される信号の信号伝播時間から移動局の位置を算出するセルラ方式による移動体無線通信システムであって、移動局において、位置情報に応じて自動的に選択された地域情報を取得し、着脱可能なメモリ装置に記憶するものである。
【００２０】
このような移動体無線通信システム１の概略を、図１に示す。移動体無線通信システム１は、移動局２と、基地局３，基地局４及び基地局５とが無線により互いに通信可能とされ、更に、基地局３乃至基地局５と接続されて各基地局から位置検出に必要なデータを受信する位置検出装置６と、位置情報に基づいた地域情報を提供する情報サーバ７とを備えている。
【００２１】
移動局２は、携帯型通信端末等の移動局端末であり、ここでは携帯型電話機である。移動局２の構成について、図２を用いて説明する。
【００２２】
移動局２は、基地局からの信号を受信する高周波受信回路１０と、アナログ信号をデジタル信号へと変換するアナログ／デジタル（Ａ／Ｄ）変換器１１と、受信信号の信号強度を時間軸にて分解測定する遅延プロファイル検出回路１２と、入力される信号を復調する復調回路１３と、受信した信号に対する応答を送信するまでの時間を検出する送受信タイミング差検出回路１４と、信号を変調して出力する変調回路１５と、デジタル信号をアナログ信号へと変換するデジタル／アナログ（Ｄ／Ａ）変換器１６と、基地局へと信号を送信する高周波送信回路１７と、携帯型電話機である当該移動局２の操作に関する情報，位置情報及び地域情報を表示する表示部１８と、基地局からの種々の信号を受信する及び／又は基地局に種々の信号を送信するアンテナ１９と、位置情報及び地域情報の取得を選択する地域情報取得ボタン２０と、当該移動局２に対して着脱可能とされた外部記憶装置２２に対して地域情報の記録を行う記録装置２１とを少なくとも備えている。
【００２３】
上述の移動局２において、高周波受信回路１０は、アンテナ１９を介して、基地局３，基地局４及び基地局５からのアナログ信号を受信し、Ａ／Ｄ変換器１１に送る。
【００２４】
Ａ／Ｄ変換器１１は、高周波受信回路１０からのアナログ信号をデジタル信号に変換して遅延プロファイル検出回路１２に送る。
【００２５】
遅延プロファイル検出回路１２は、Ａ／Ｄ変換器１１からのデジタル信号の信号強度を時間軸で分解し、信号強度の時間分布（以下、遅延プロファイルと記す。）を検出する。また、遅延プロファイル検出回路１２は、Ａ／Ｄ変換器１１から入力されるデジタル信号を送受信タイミング差検出回路１４に送る。
【００２６】
復調回路１３は、Ａ／Ｄ変換器１１からの信号を復調して表示部１８に送る。
【００２７】
送受信タイミング差検出回路１４は、複数の散乱波となって到来する基地局からの信号の中で、最も早い信号が到達した時刻と、最も遅い信号が到達した時刻とをカウントし、前者と後者との時間差（以下、移動局送受信タイミング差と記す。）を算出する。移動局送受信タイミング差は、移動局２に到達する散乱波の到達時刻のタイムラグを示している。移動局送受信タイミング差は、位置検出装置６において移動局２の位置を算出する際に使用されるため基地局に対して返信される。送受信タイミング差検出回路１４は、この移動局送受信タイミング差を示すデータを変調回路１５に送る。
【００２８】
変調回路１５は、送受信タイミング差検出回路１４からの移動局送受信タイミング差を示すデータを変調して高周波送信回路１７に送る。
【００２９】
Ｄ／Ａ変換器１６は、変調回路１５からのデジタル信号をアナログ信号へと変換し、高周波送信回路１７に送る。
【００３０】
高周波送信回路１７は、アンテナ１９を介してＤ／Ａ変換器１６からのデジタル信号を各基地局に対して送信する処理を行う。
【００３１】
表示部１８は、検出された移動局２の位置情報及び地域情報等を受信し表示する。また、表示部１８は、当該移動局２の携帯型電話機としての他の機能の設定や通話に係る諸事項の表示も行うが、詳細については省略する。
【００３２】
アンテナ１９は、各基地局から送信される信号を受信し、高周波受信回路１０に送る。或いは、高周波送信回路１７からの信号を各基地局に送信する。
【００３３】
地域情報取得ボタン２０は、位置情報及び地域情報の取得を選択するためのボタンであり、ユーザによって押下されると、位置情報に応じて自動的に選択された地域情報を取得するための動作を開始する。
【００３４】
記録装置２１は、後述する外部記憶装置２２を装着して、この外部記憶装置２２に取得した地域情報の記録を行う。この外部記憶装置２２には、データの書き込み及び読み出しが行われるフラッシュメモリ等を使用することができる。
【００３５】
このような外部記憶装置２２は、例えば、静止画データ、動画データ、オーディオデータ（音楽データ）といった複数種類のフォーマットのデータを混在して記録することができ、異なるフォーマットのデータを扱う複数の電子機器の間で相互利用することができる。
【００３６】
このような外部記憶装置２２としては、例えば図３（Ａ）及び同図（Ｂ）に示すような外観を呈する半導体メモリ装置２００がある。この半導体メモリ装置２００は、例えば縦寸法５０ｍｍ、横寸法２１．５ｍｍ、厚さ寸法２．８ｍｍの筐体２０１を備えるとともに、外部の電子機器に装着された場合におけるシリアルバスの状態を示すバスステート、各種データ及びクロック等が入出力される１０ピンの端子２０２を備える。また、半導体メモリ装置２００は、記録されているデータの誤消去を防止するための誤消去防止スイッチ２０３を備える。
【００３７】
また、半導体メモリ装置２００は、例えば図４に示すように、装着された電子機器からの各種データ等を記憶する例えば数メガバイト乃至数十メガバイトの記憶容量を有するフラッシュメモリ２０４と、このフラッシュメモリ２０４の内容の管理等を行うメモリコントローラ２０５と、電子機器と接続され各種データ等の入出力を行うインターフェース部２０６とを備える。
【００３８】
このような半導体メモリ装置２００は、１０ピンの端子２０２のうち、データ、クロック及びバスステート用の３ピンの端子のみを用いて、電子機器との間でこれらのデータ、クロック及びバスステートの送受信を行う。ここで、クロック及びバスステートは、電子機器から供給され、データは、双方向の半２重転送により外部機器との間で送受信される。半導体メモリ装置２００は、データとして制御パケットを電子機器との間で送受信する場合には、例えばクロックの最大周波数を２０ＭＨｚとし、５１２バイト単位を基本としたエラーチェックコードを付加して転送を行う。
【００３９】
半導体メモリ装置２００は、メモリコントローラ２０５によって、シリアルインターフェースのプロトコルにしたがって処理を行い、フラッシュメモリ２０４を制御する。
【００４０】
このような半導体メモリ装置２００を外部記憶装置２２として用いることによって、ユーザは、異なるフォーマットのデータを扱う複数の電子機器間で１つの半導体メモリ装置２００を相互利用することができる。
【００４１】
移動体無線通信システム１において、基地局３，基地局４及び基地局５は、移動局２との間で信号の送受信を行う。また、基地局３乃至基地局５は、移動局２に対してある信号を送信した時刻と、当該信号に対する応答を移動局２から受信した時刻とをカウントし、前者と後者との時間差（以下、基地局送受信タイミング差と記す。）を算出する。
【００４２】
基地局送受信タイミング差は、基地局から送信された信号が再び戻ってくるまでの時間を示しており、基地局送受信タイミング差は、移動局２に到達する信号のタイムラグを示す移動局送受信タイミング差を含んでいる。各基地局は、この基地局送受信タイミング差と移動局２から送られる移動局送受信タイミング差とを、位置検出装置６に送信する。
【００４３】
基地局３乃至基地局５は、信号を送受信するためのアンテナ及び信号の送受信に必要な他の構成を備えているが、詳細の説明は省略する。
【００４４】
位置検出装置６は、基地局３乃至基地局５と接続されて、基地局３，基地局４及び基地局５と移動局２との距離から移動局２の位置を決定する装置である。位置検出装置６は、先述の移動局送受信タイミング差と基地局送受信タイミング差とから、基地局と移動局２との間の信号の信号伝播時間Ｔdから、移動局２と各基地局との距離を計算し、更に移動局２の位置を決定する。
【００４５】
情報サーバ７は、移動局２の位置情報に応じて自動的に地域情報を選択する。情報サーバ７は、個々の情報提供者４０が提供する情報を、例えば緯度・経度のような座標等で表される地域毎に区分して記憶している。
【００４６】
情報サーバ７は、情報を提供する情報提供者４０が所有する電子機器、例えばＰＣ（パーソナルコンピュータ）と接続され、情報提供者４０が提供する情報を蓄積している。これを図５に示す。図５における情報提供者４０は、情報サーバ７に対して情報を提供するためのＰＣ４１と、外部記憶装置２２に記憶される情報を読み出す読取装置４２とを備えている。
【００４７】
上述のような移動体無線通信システム１をスペクトラム拡散無線通信システムに適用した場合について具体的に説明する。スペクトラム拡散無線通信システムでは、各基地局と移動局２との間で信号の送受信を行う際、当該信号に拡散信号を乗算して通信を行っている。この拡散信号には、一般に擬似ランダム（Pseudorandom Noise）系列が用いられている。この擬似ランダム系列を式（１）及び式（２）に示す。
【００４８】
【数１】
2001298769.tif 000001
【００４９】
【数２】
2001298769.tif 000002
【００５０】
ただし、ｃnは、基地局拡散信号を示す。ｘnは、基地局拡散後送信信号を示す。ｓnは、送信信号を示す。ｒnは、移動局逆拡散後信号を示す。ｃ'nは、移動局で用意した移動局逆拡散信号を示す。σ2は、拡散信号の相関が取れない場合の残留雑音電力を示す。
【００５１】
擬似ランダム系列を拡散信号として使用すると、拡散信号が乗算された当該信号を受信する受信局は、同一の拡散信号をタイミング良く相関計算する（これを、逆拡散と称する。）ことによってのみ当該信号を復調できるという特徴を有している。
【００５２】
つまり、移動局２では、基地局拡散信号ｃnと同じ信号を予め用意し、タイミングを合わせて基地局拡散後送信信号ｘnに移動局逆拡散信号ｃ'nを乗算することによって基地局の送信信号ｓnを復調することができる。
【００５３】
拡散信号の周期は、通常、送信しようとする信号の周期の整数倍とすることが好ましく、このとき移動局における逆拡散として示す式（１）及び式（２）のｎの範囲は、一般に、４〜２５６程度となる。ここで、拡散信号の一符号をチップと呼び、拡散信号の周期を１チップ長と呼ぶ。１チップ長は、例えば１／３．８４Ｈｚとされている。
【００５４】
また、各基地局の擬似ランダム系列は、異なる系列或いは異なるタイミングを使用している。これは、移動局２と各基地局との間の通信が混信しないようにするためである。
【００５５】
本発明の実施の形態として示す移動体無線通信システム１をスペクトラム拡散無線通信システムに適用した場合、上記移動局２における遅延プロファイル検出回路１２には、例えば、いわゆるマッチドフィルタ（整合フィルタ）を使用することができる。遅延プロファイル検出回路１２の構成と動作について、図６を用いて以下に説明する。
【００５６】
図６に示すように、遅延プロファイル検出回路１２は、信号サンプルを遅延させるための遅延器３０乃至３４と、遅延された信号サンプルに係数を乗算するための係数演算器３５と、係数乗算された信号サンプルの絶対値をとる絶対値回路３６とを有している。
【００５７】
アンテナ１９を介して高周波受信回路１０に入力された基地局から送信された信号は、アナログデジタル（Ａ／Ｄ）変換器１１でデジタル信号に変換される。このときの標本化周波数は、拡散信号のチップレート或いはその整数倍であることが一般的である。
【００５８】
遅延プロファイル検出回路１２に送られた信号は、図６に遅延器３０乃至３４として示すＮ個の遅延器に入力される。
【００５９】
Ａ／Ｄ変換器１１が１サンプル採取すると同時に、遅延器は、受信信号サンプルを１チップ分遅延する。各遅延器に蓄えられた受信信号サンプルは、係数演算器３５に入力されることによって係数が乗算される。即ち、この遅延プロファイル検出回路１２は、ＦＩＲ（Finite Impulse Response；有限インパルス応答）フィルタを構成している。このとき乗算する係数として、前述の式（１）に示す基地局拡散信号ｃnを設定すると先述した逆拡散を行うことができる。
【００６０】
１つの基地局にかかる遅延プロファイル検出時間は、ある一定の値とするのが一般的である。遅延プロファイル検出時間は、伝送路の遅延特性により選択されるが、移動局２における遅延プロファイル検出回路１２では基地局拡散信号ｃnを変化させながら各基地局から送信される信号の遅延プロファイルを測定する際の遅延プロファイル検出時間を、例えば６２．５μｓと決めている。
【００６１】
また、遅延プロファイル検出回路１２は、図示しない移動局２内タイマを有し、拡散信号のチップ程度の分解能で時刻を計測する機能を有している。遅延プロファイル検出回路１２は、その時刻を合わせて出力することができる。このようなマッチドフィルタである遅延プロファイル検出回路１２は、従来の位置検出装置に使用していたものを使用することができる。
【００６２】
遅延プロファイル検出回路１２が、Ａ／Ｄ変換器１１からのデジタル信号の遅延プロファイルを検出して送受信タイミング差検出回路１４に送出する動作を図７に示す。
【００６３】
遅延プロファイル検出回路１２は、図示しない制御回路に制御されて、ステップＳ１において、全基地局を観測したか否かの判別を行う。全基地局の観測が終了していない場合は、ステップＳ２に進んで、残る基地局が使用している基地局拡散信号ｃnを選択して、６２．５μｓ間の観測を行う。全基地局の観測が終了している場合は、遅延プロファイルの検出を終了する。
【００６４】
ステップＳ３において、決められた観測期間（６２．５μｓ）だけ観測されたか否かの判別を行う。所定時間の観測が終了した場合、ステップＳ１へと戻る。
【００６５】
所定時間の観測が終了しない場合は、ステップＳ４において、引き続きＡ／Ｄ変換器１１からのデジタル信号を観測する。
【００６６】
その後、ステップＳ５において、移動局２内タイマの時刻を保存して、復調回路１３及び送受信タイミング差検出回路１４に、デジタル信号を送ってステップＳ３へと戻る。
【００６７】
また、移動体無線通信システム１において、送受信タイミング差検出回路１４は、遅延プロファイルのスペクトルから、最も早く到達する到来波の到達時刻Ｔ2と最も遅く到達する到来波の到達時刻Ｔ3とをカウントし、前者と後者の時間差（以下、移動局送受信タイミング差Ｔmと記す。）を算出する。ここでＴ2及びＴ3は、後述の図９に対応するものであり、図９を用いて詳細に説明する。
【００６８】
移動局送受信タイミング差Ｔmは、図８に示すように基地局から送信される信号の移動局２に到達する到来時間の分布を示している。送受信タイミング差検出回路１４は、基地局３乃至基地局５に対して、それぞれ移動局送受信タイミング差Ｔmを算出している。移動局２は、散乱波を全て受信すると、この信号に対応する応答を基地局に対して送信する。
【００６９】
移動局送受信タイミング差Ｔmは、移動局２に到達する散乱波のタイムラグを示している。移動局送受信タイミング差Ｔmは、位置検出装置６において移動局２の位置を算出する際に使用されるため基地局に対して返信される。送受信タイミング差検出回路１４は、この移動局送受信タイミング差Ｔmを示すデータを変調回路１５に送る。変調回路１５は、送受信タイミング差検出回路１４からの時間差を示すデータを変調してＤ／Ａ変換器１６でアナログ信号に変換した後、高周波送信回路１７に送る。移動局送受信タイミング差Ｔmは、アンテナ１９を通じて各基地局に送信される。
【００７０】
移動体無線通信システム１において基地局３，基地局４及び基地局５が移動局２との間で信号の送受信を行う際、基地局が信号を送信した時刻と移動局２から送信されたこの信号に対する応答を受信する時刻との間には、図９に示すような時間差が生じる。
【００７１】
図９において、Ｔ1は、基地局から信号が送信された時刻を示す。Ｔ2は、上述したように、伝送行程で散乱されて複数の散乱波となった当該信号のうち移動局２に最も早く到達した、即ち最短距離を通って到達した散乱波の到達時刻を示し、Ｔ3は、最も遅く到達した、即ち最長距離を通って到着した散乱波の到達時刻を示す。Ｔ4は、移動局２からの応答が基地局に到達した時刻を示す。
【００７２】
基地局３乃至基地局５は、移動局２に対してある信号を送信した時刻Ｔ1と、当該信号に対する応答を移動局２から受信した時刻Ｔ4とをカウントし、前者と後者の時間差（以下、基地局送受信タイミング差Ｔbと記す。）を算出する。
【００７３】
基地局送受信タイミング差Ｔbは、基地局から送信された信号に対しての応答が為されるまでの時間を示しており、移動局送受信タイミング差Ｔmを含んでいる。
【００７４】
各基地局は、この基地局送受信タイミング差Ｔbと、移動局２から送られる上述の移動局送受信タイミング差Ｔmとを、位置検出装置６に対して送信する。
【００７５】
位置検出装置６では、送られた移動局送受信タイミング差Ｔmと基地局送受信タイミング差Ｔbとから、基地局と移動局２との間で信号を送信する際の信号伝播時間Ｔdを、各基地局に対して算出する。基地局送受信タイミング差Ｔbから、移動局送受信タイミング差Ｔmを減算して求められる時間差は、信号が基地局と移動局２との間を往復する時間を示している。従って信号伝播時間Ｔdは、以下に示す式（３）によって算出することができる。
【００７６】
【数３】
2001298769.tif 000003
【００７７】
基地局ｎと移動局２との間の信号の信号伝播時間Ｔdを用いると、基地局と移動局２との間の距離は、次式（４）で決定される。
【００７８】
【数４】
2001298769.tif 000004
【００７９】
ただし、ｃは、信号の伝播速度であり、大気中では、約３，０００，０００ｍ／ｓとして計算することができる。
【００８０】
算出された移動局２と各基地局との間の距離ｌnを用いて三辺測量を行うことによって移動局２の位置を知ることができる。基地局の位置情報、即ち位置座標は既知であり、基地局ｎの座標は（ｘn，ｙn）で表されるものとする。
【００８１】
三辺測量とは、測量時等に地表各点の相対位置を明らかにする目的で行なわれる地点間距離測定方法であり、三辺測量を用いることによって、中心を基地局，半径を基地局及び移動局２との間の距離とする各円が互いに重なり合う部分に移動局２が位置すると決定される。
【００８２】
基地局３，基地局４及び基地局５を中心とする半径ｌnの円は、次式（５），（６），（７）の方程式の解（ｘm，ｙm）として算出される。
【００８３】
【数５】
2001298769.tif 000005
【００８４】
【数６】
2001298769.tif 000006
【００８５】
【数７】
2001298769.tif 000007
【００８６】
位置検出装置６は、算出された移動局２の位置情報を、基地局を介して移動局２に送信する。移動局２では、アンテナ１９を介して位置情報を受信する。位置情報は、表示部１８に表示される。
【００８７】
続いて、本発明の実施の形態として示す移動体無線通信システム１において、移動局２が位置情報並びに位置情報に基づいた地域情報を取得する動作について、図１０を用いて説明する。
【００８８】
ステップＳ１０において、移動局２の地域情報取得ボタン２０が、ユーザによって押下される。
【００８９】
ステップＳ１１において、位置検出装置６は、移動局２の位置情報を算出し、算出された位置情報を移動局２に送信する。
【００９０】
ステップＳ１２において、位置情報が表示部１８に表示される。図１１は、位置情報が表示部１８に表示されている様子を模式的に示したものである。図１１において移動局２の位置情報は、緯度及び経度によって表示されている。更にこの緯度及び経度に相当する目標物が、例えば「○○駅」のように表示されてもよい。
【００９１】
ステップＳ１３において、ユーザが更に地域情報取得ボタン２０を押下すると、位置情報に応じた地域情報を取得するコマンドが、情報サーバ７に送信される。
【００９２】
ステップＳ１４において、情報サーバ７は、移動局２の存在する位置情報に応じて、地域情報を移動局２に送信する。
【００９３】
ステップＳ１５において、移動局２では、送信された地域情報が表示部１８に表示される。図１２は、位置情報に応じた地域情報が表示部１８に表示されている様子を模式的に示したものである。ステップＳ１の操作によって取得された位置情報に応じた情報が、例えば「○○レストラン」，「××ホテル」のように表示される。
【００９４】
更に、表示の中からユーザが「××ホテル」を選択すると、「××ホテル」の情報が情報サーバ７から取得され、図１３に示すように表示部１８に表示される。
【００９５】
ここで提供される情報は、情報提供者４０が情報サーバ７に予め登録している内容であって、ここでは「××ホテル」の住所，電話番号，その他情報提供者４０が提供する情報が含まれている。
【００９６】
ステップＳ１６において、地域情報のデータのうち、ユーザが所望とするデータが記録装置２１によって外部記憶装置２２に記憶される。
【００９７】
外部記憶装置２２に記憶された情報は、情報提供者４０が所有している読取装置４２において読み取ることが可能である。外部記憶装置２２に記憶された情報が、例えばある店舗の「商品の割引情報」であった場合、外部記憶装置２２に記憶された「商品の割引情報」が、この情報の情報提供者４０の店舗に備えられている読取装置４２に装着されると、記憶されている「商品の割引情報」が読取装置４２によって認識され、外部記憶装置２２を持参したユーザは、この店舗から「商品の割引サービス」を受けることができる。
【００９８】
なお、移動局２は、記録装置２１の代わりに地域情報を記憶するための不揮発性メモリを備えていてもよい。この場合、店舗においては、移動局２から、例えばインターフェースを介して読取装置４２に取得した地域情報に含まれるデータを伝送するようにしてもよい。インターフェースとしては、いわゆるＵＳＢ等の汎用インターフェース，無線インターフェース，光無線インターフェースを使用することができる。
【００９９】
無線インターフェースとしては、例えばEricsson社（スウェーデン）によって標準化されているBlueTooth（ブルートゥース）を使用してもよい。ブルートゥースは、2.4GHz帯域の電波を使用し、最大転送速度が１Mbit/sec、変調方式としてGFSK(Gaussian Frequency Shift Keying)を用いた近距離無線通信である。ブルートゥースの最大伝送距離は、10m（出力が1mWの場合。）と100m（出力が100mWの場合）とがあり、用途により伝送距離を選択することが可能となっている。
【０１００】
以上説明したように移動局２は、地域情報取得ボタン２０によって、移動局２の位置情報を取得し、更に、移動局２の位置情報に基づいた地域情報を取得することができる。
【０１０１】
また、移動局２は、取得した地域情報を外部記憶装置２２に記憶することができる。移動局２を使用するユーザは、外部記憶装置２２に記憶された地域情報を読み出すことによって、地域情報に含まれるサービス内容に基づいたサービスを、情報提供者４０から受けることができる。
【０１０２】
更に、以上説明した移動体無線通信システム１は、複数の基地局と移動局２との間の信号伝播時間Ｔdから移動局２の位置情報を検出する代わりに、いわゆるグローバルポジショニングシステム（ＧＰＳ）を使用して位置情報を検出するものであってもよい。
【０１０３】
本発明は上述した実施の形態のみに限定されるものではなく、本発明の要旨を逸脱しない範囲において種々の変更が可能であることは勿論である。
【０１０４】
【発明の効果】
以上詳細に説明したように、本発明に係る移動体無線通信システムは、移動局端末の位置情報を検出する機能を有する移動体通信システムであって、位置情報に応じた地域情報を表示する表示手段を備える移動局端末と、地域情報を蓄積し、移動局端末の位置情報に応じた地域情報を自動的に選択して移動局端末に伝送する情報サーバとを備える。
【０１０５】
特に、本発明に係る移動体無線通信システムは、複数の基地局と移動局端末との間の信号伝播時間から移動局端末の位置情報を検出する移動体無線通信システムであって、移動局端末と無線により互いに通信を行い、移動局端末に対して信号を送信した時刻と信号に対する応答を移動局端末から受信した時刻との基地局送受信時間差を検出する複数の基地局と、複数の基地局から送信される複数の信号を受信する受信手段と、複数の信号の各々を受信した時刻と複数の信号の各々に対する応答を基地局に対して送信した時刻との移動局受送信時間差を検出する時間差検出手段と、複数の基地局に対して移動局受送信時間差を送信する送信手段と、位置情報に応じた地域情報を表示する表示手段とを備える移動局端末と、基地局送受信時間差と移動局受送信時間差とから移動局端末の位置を検出する位置検出装置と、地域情報を蓄積し、移動局端末の位置情報に応じた地域情報を自動的に選択して移動局端末に伝送する情報サーバとを備える。
【０１０６】
このような移動体無線通信システムは、情報サーバに蓄積された地域情報の中から、検出された移動局端末の位置情報に応じた地域情報が、自動的に選択されて移動局端末に伝送することが可能となる。また、上述のような移動体無線通信システムは、記憶手段に記憶した地域情報を読出手段において読み出すことができる。
【０１０７】
したがって、本発明に係る移動体無線通信システムによれば、ユーザが膨大な情報ソースの中から所望の情報を検索する際にかかる手間が軽減されるとともに、検索にかかる時間が短縮される。
【０１０８】
更に、本発明に係る移動体無線通信システムは、記憶手段に記憶した地域情報が情報提供者によって再度読み出されるため、移動局端末を情報提供者と移動局端末を所有するユーザとの間の認証として用いることが可能となる。
【０１０９】
このように本発明に係る移動体無線通信システムは、ユーザに対して優れた利便性を提供するものである。
【０１１０】
また、以上詳細に説明したように、本発明に係る移動体無線通信方法は、移動局端末の位置情報を検出する移動体無線通信方法であって、蓄積された地域情報の中から、移動局端末の位置情報に応じた地域情報を自動的に選択して移動局端末に伝送する伝送工程と、位置情報に応じた地域情報を表示する表示工程とを備える。
【０１１１】
特に、本発明に係る移動体無線通信方法は、複数の基地局と移動局端末との間の信号伝播時間から移動局端末の位置情報を検出する移動体無線通信方法であって、移動局端末と無線により互いに通信を行う複数の基地局との間で、移動局端末に対して信号を送信した時刻と信号に対する応答を移動局端末から受信した時刻との基地局送受信時間差を検出する基地局送受信時間差検出工程と、複数の基地局から送信される複数の信号を受信する受信工程と、複数の信号の各々を受信した時刻と複数の信号の各々に対する応答を基地局に対して送信した時刻との移動局受送信時間差を検出する時間差検出工程と、複数の基地局に対して移動局受送信時間差を送信する送信工程と、基地局送受信時間差と移動局受送信時間差とから移動局の位置を検出する位置検出工程と、蓄積された地域情報の中から、移動局の位置情報に応じた地域情報を自動的に選択して移動局端末に伝送する伝送工程と、位置情報に応じた地域情報を表示する表示工程とを備える。
【０１１２】
このような移動体無線通信方法は、移動局端末の位置情報に応じた地域情報を自動的に選択して移動局端末に伝送することが可能となる。
【０１１３】
したがって、本発明に係る移動体無線通信方法によれば、ユーザが膨大な情報ソースの中から所望の情報を検索する際にかかる手間が軽減されるとともに、検索にかかる時間が短縮される。
【０１１４】
このように本発明に係る移動体無線通信方法は、ユーザに対して優れた利便性を提供するものである。
【０１１５】
本発明に係る移動局端末は、複数の基地局との間で無線により互いに通信を行い、複数の基地局との通信における信号伝播時間から検出された位置情報を受信する移動局端末であって、複数の基地局から送信される複数の信号を受信する受信手段と、複数の信号の各々を受信した時刻と複数の信号の各々に対する応答を基地局に対して送信した時刻との移動局受送信時間差を検出する時間差検出手段と、複数の基地局に対して移動局受送信時間差を送信する送信手段と、位置情報に応じた地域情報を表示する表示手段と、位置情報に応じて得られる地域情報を記憶する記憶手段とを備える。
【０１１６】
ここで移動局端末は、上記位置情報に応じた地域情報を取得する動作を開始する操作を行う操作手段を有することが挙げられる。
【０１１７】
上述のような移動局端末は、操作手段における操作によって、位置情報に応じた地域情報を速やかに取得することが可能となる。また、上述のような移動局端末は、取得した地域情報を記憶手段において記憶することができる。
【０１１８】
したがって、本発明に係る移動局端末によれば、ユーザが膨大な情報ソースの中から所望の情報を検索する際にかかる手間が軽減されるとともに、検索にかかる時間が短縮される。
【０１１９】
更に、本発明に係る移動局端末は、記憶手段に記憶した地域情報が情報提供者によって再度読み出されるため、情報提供者と移動局端末を所有するユーザとの間の認証として使用されることが可能となる。
【０１２０】
このように本発明に係る移動局端末は、ユーザに対して優れた利便性を提供するものである。
【図面の簡単な説明】
【図１】
本発明の実施の形態として示す移動体無線通信システムの概略を説明する図である。
【図２】
本発明の実施の形態として示す移動体無線通信システムが備える移動局の内部構成を説明するブロック図である。
【図３】
（Ａ）は、外部記憶装置に適用される半導体メモリ装置の外観正面図であり、（Ｂ）は、外部記憶装置に適用される半導体メモリ装置の背面図である。
【図４】
外部記憶装置に適用される半導体メモリ装置の内部構成を示すブロック図である。
【図５】
本発明の実施の形態として示す移動体無線通信システムの一構成例を説明する図である。
【図６】
本発明の実施の形態として示す移動体無線通信システムが備える遅延プロファイル検出回路の内部構成を説明するブロック図である。
【図７】
遅延プロファイル検出回路の動作を示すフローチャートである。
【図８】
本発明の実施の形態として示す移動体無線通信システムが備える送受信タイミング差検出回路が算出する移動局送受信タイミング差Ｔmを説明する図である。
【図９】
基地局と移動局との間の信号の信号伝播時間Ｔdを説明する図である。
【図１０】
本発明の実施の形態として示す移動体無線通信システムが、移動局の位置情報に応じた地域情報を送信する動作を示すフローチャートである。
【図１１】
移動局の位置情報と位置情報に応じた地域情報とが表示部に表示されている様子を模式的に示した模式図である。
【図１２】
移動局の位置情報と位置情報に応じた地域情報とが表示部に表示されている様子を模式的に示した模式図である。
【図１３】
移動局の位置情報と位置情報に応じた地域情報とが表示部に表示されている様子を模式的に示した模式図である。
【符号の説明】
１  移動体無線通信システム、２  移動局、３，４，５  基地局、６  位置検出装置、７  情報サーバ、１０  高周波受信回路、１１  Ａ／Ｄ変換器、１２  遅延プロファイル検出回路、１３  復調回路、１４  送受信タイミング差検出回路、１５  変調回路、１６  Ｄ／Ａ変換器、１７  高周波送信回路、１８  表示部、１９  アンテナ、２０  地域情報取得ボタン、２１  記録装置、２２  外部記憶装置、３０，３１，３２，３３，３４  遅延器、３５  係数演算器、３６  絶対値回路、４０  情報提供者、４１  ＰＣ、４２  読取装置
【手続補正２】
【補正対象書類名】図面
【補正対象項目名】図７
【補正方法】変更
【補正の内容】
【図７】
2001298769.tif 000008